【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
看護施設内で薬剤を管理するためのシステムであって、
それぞれが単回用量の薬剤を収容している個々の単回用量容器を識別する識別装置と、
前記個々の単回用量容器の位置に関する情報を保持するように構成された処理装置と
を有する管理システム。
【請求項２】
前記単回用量容器が、該容器内の薬剤の情報を提供する識別子を含む請求項１に記載のシステム。
【請求項３】
前記識別子が、バーコード、無線周波数識別タグ及び２次元マトリクスの少なくとも１つを含む請求項２に記載のシステム。
【請求項４】
前記薬剤に関する情報が、薬剤名、投与量、製造業者、ロット番号及び有効期限の少なくとも１つを含む請求項２に記載のシステム。
【請求項５】
前記処理装置が、前記識別子によって提供される前記薬剤に関する情報を保持するように構成されている請求項４に記載のシステム。
【請求項６】
前記識別装置が、前記単回用量容器内の前記薬剤に関する情報を取得し、該情報を前記処理装置に伝達するように構成されている請求項２に記載のシステム。
【請求項７】
前記処理装置が、前記識別子によって得られる前記薬剤に関する情報に基づいて、前記単回用量容器を前記システム内で位置決めする請求項６に記載のシステム。
【請求項８】
前記識別装置がカメラを有し、該カメラが、前記処理装置で処理するために前記識別子の画像を取得する請求項１に記載のシステム。
【請求項９】
患者の処方箋に対応した薬剤を有する前記単回用量容器を受け入れる分配装置をさらに有する請求項１に記載のシステム。
【請求項１０】
前記システム内の期限切れの薬剤を収容している単回用量容器を収集及び分配する分配装置をさらに有する請求項１に記載のシステム。
【請求項１１】
前記単回用量容器を保管ユニットと分配ユニットの間で運ぶ運搬ロボットをさらに有する請求項１に記載のシステム。
【請求項１２】
前記処理装置が、前記識別装置から得られる情報に基づいて、どの単回用量容器を前記運搬ロボットによって運ぶかを判定する請求項１１に記載のシステム。
【請求項１３】
所望の単回用量容器を第１の位置に配置し、且つ第２の位置への運搬のために該単回用量容器を固定する薬剤ピッカ・システムをさらに有する請求項１に記載のシステム。
【請求項１４】
複数の単回用量容器を保持するトレーであって、運搬ロボットによって保管ユニットと分配ユニットの間を運搬されるトレーをさらに有する請求項１に記載のシステム。
【請求項１５】
内部の薬剤を機械によって保護及び移送するための単回用量容器であって、
互いに結合して、機械に適合した容器を形成するように構成された第１及び第２の実質的に剛性の部分であって、前記機械適合容器は単回用量の薬剤を封入するようなサイズとされた中空の囲いを有している第１及び第２の実質的に剛性の部分と、
前記中空の囲いの中の薬剤に関する情報の入手を可能にする、前記第１及び第２の実質的に剛性の部分の少なくとも一方と共に設けられた識別子と、
前記第１及び第２の実質的に剛性の部分の分離に関する情報を示す表示装置と
を有する単回用量容器。
【請求項１６】
前記識別子が、バーコード、無線周波数識別タグ及び２次元マトリクスの少なくとも１つを有する請求項１５に記載の容器。
【請求項１７】
前記実質的に剛性の部分の少なくとも一方が生分解性材料を含む請求項１５に記載の容器。
【請求項１８】
前記表示装置が、前記第１及び第２の実質的に剛性の部分の分離後に、該２つの部分が再結合するのを防止する請求項１５に記載の容器。
【請求項１９】
前記第１及び第２の実質的に剛性の部分が、内部に収容された前記薬剤の特性に対応した色を有している請求項１５に記載の容器。
【請求項２０】
前記表示装置は、結合の後に前記第１及び第２の実質的に剛性の部分が分離されたかどうか、又はいたずらされたかどうかを示す請求項１５に記載の容器。
【請求項２１】
前記第１及び第２の実質的に剛性の部分は、結合されると、球形、円筒形、角錐形、正方形及び長方形のうちの１つを形成する請求項１５に記載の容器。
【請求項２２】
看護施設内で薬剤を管理する方法であって、
単回用量容器と共に、前記容器内の薬剤に関する情報を提供する識別子を設けること、
前記単回用量容器を機械によって保管施設まで運搬すること、
前記識別子によって提供される情報に基づいて、前記単回用量容器を機械によって再配置すること
を含む管理方法。
【請求項２３】
機械による取扱いに適合するように構成された単回用量容器の中に薬剤を包装することをさらに含む請求項２２に記載の方法。
【請求項２４】
前記情報が、薬品名、投与量、製造業者、ロット番号及び有効期限の少なくとも１つを含む請求項２２に記載の方法。
【請求項２５】
前記単回用量容器が前記薬剤の回収に対応している請求項２２に記載の方法。
【請求項２６】
前記単回用量容器を前記保管施設内のトレーに再配置することをさらに含む請求項２２に記載の方法。
【請求項２７】
前記薬剤に関する前記情報に基づいて前記トレーを運搬することをさらに含む請求項２６に記載の方法。
【請求項２８】
前記トレーを運搬することが、運搬ロボットを用いて前記トレーを運搬することを含む請求項２７に記載の方法。
【請求項２９】
前記薬剤が看護者によって患者に投与されなかったために、前記単回用量容器を再配置することをさらに含む請求項２２に記載の方法。
【請求項３０】
患者への投与のために前記単回用量容器を分配することをさらに含む請求項２２に記載の方法。
【請求項３１】
前記有効期限に基づいて、未使用の薬剤を前記保管施設に戻すことをさらに含む請求項２２に記載の方法。
【請求項３２】
看護施設内で薬剤を管理するためのシステムであって、
それぞれが単回用量の薬剤を収容している個々の単回用量容器を識別する識別装置と、
前記個々の単回用量容器の位置に関する情報を保持するように構成された処理装置と
を有するシステムにおいて、
前記単回容量容器が、該容器内の薬剤の情報を提供する識別子を有し、また
前記処理装置が、前記システム内の単回用量容器それぞれを常に把握し且つ再配置するように提供される
管理システム。
【請求項３３】
前記処理装置は、どの薬剤用量の有効期限が近づいているか分析を行い、より古い薬剤用量を先に使用するように前記看護施設内の前記単回用量容器の前記薬剤用量を再配置するように提供される請求項３２に記載のシステム。
【請求項３４】
前記単回用量容器を保管及び分配するための分配装置を有し、該分配装置は、いずれの単回用量容器も保管及び再配置することが可能である請求項３２に記載のシステム。
【請求項３５】
看護施設内で薬剤を管理する方法であって、
単回用量容器と共に、前記容器内の薬剤に関する情報を提供する識別子を設けること、
前記単回用量容器を機械によって保管施設まで運搬すること、
前記識別子によって提供される情報に基づいて、前記単回用量容器を機械によって再配置すること
を含む管理方法において、
単回用量容器内にそれぞれ設けられた複数の薬剤用量に対して、どの薬剤用量の有効期限が近づいているか分析を行い、より古い薬剤用量を先に使用するように前記看護施設内の前記単回用量容器の前記薬剤用量を再配置することをさらに含む管理方法。
【請求項３６】
看護施設内で薬剤を管理するためのシステムであって、
複数の薬剤容器であって、それぞれが、少なくとも１つの機械可読識別子を含み、またそれぞれが、少なくとも１回分の用量の薬剤を含むように構成され、且つ前記１回分の用量の薬剤を１回分の用量の他の薬剤と置き換えることを可能にするように構成されている薬剤容器と、
分配装置と
を含むシステムにおいて、
前記分配装置が、
複数の保管場所であって、それぞれが、前記複数の薬剤容器の１つを保管するように構成され、且つ前記複数の薬剤容器のうちの１つを、残りの複数の薬剤容器のいずれもそれらの対応する保管場所から取り除く必要なしに取り出すことを可能にするように構成された保管場所と、
前記複数の薬剤容器のそれぞれがその対応する保管場所に位置している間に、前記複数の薬剤容器のそれぞれの、少なくとも１つの機械可読識別子を読み取るように構成された検出器と、
前記複数の薬剤容器のそれぞれを、それらの対応する保管場所から取り出すように構成された選択装置と
を有している
管理システム。
【請求項３７】
前記分配装置が処理装置をさらに含み、
該処理装置は、
前記複数の薬剤容器のそれぞれのために前記少なくとも１つの機械可読識別子に関連付けられた情報であって、薬剤の名前、投与量、製造業者、ロット日付番号及び有効期限のうちの少なくとも１つである情報を保管するように構成され、
薬の識別、及び前記薬の分配する１回分の用量を含む入力を受け取るように構成され、
取り出される前記複数の薬剤容器の１つであって、前記識別された薬及び前記１回分の用量に対応する容器を選択するように構成され、且つ
前記複数の薬剤容器のうちの前記選択された１つを収容している保管場所を、前記選択装置に対して、識別するように構成されている
請求項３６に記載のシステム。
【請求項３８】
前記複数の薬剤容器のうちの前記選択された１つは、前記識別された薬及び前記１回分の薬の用量に対応する前記複数の薬剤容器のそれぞれのうち最も早い有効期限を有しているために、前記複数の薬剤容器のうちの前記選択された１つが前記処理装置によって選択されたことを特徴とする請求項３６に記載のシステム。
【請求項３９】
前記検出器は、前記分配装置内に保管された前記複数の薬剤容器の在庫調べを行うようにさらに構成されている請求項３６に記載のシステム。
【請求項４０】
前記分配装置は、追加の薬剤容器を受け取り、該追加の薬剤容器を識別し、そして追加情報の入力又はオペレータによる操作なしに前記追加の薬剤容器を保管するように構成されている請求項３６に記載のシステム。
【請求項４１】
看護施設内で薬剤を管理する方法であって、
複数の薬剤容器を提供するステップであって、前記複数の薬剤容器のそれぞれが、少なくとも１つの機械可読識別子を含み、また少なくとも１回分の用量の薬剤を含むように、且つ前記１回分の用量の薬剤を１回分の用量の他の薬剤と置き換えることを可能にするように構成されているステップと、
前記複数の薬剤容器の１つを、複数の保管場所のうちの１つに保管するステップと、
前記複数の薬剤容器のうちの１つがその対応する保管場所に位置している間に、該薬剤容器の前記少なくとも１つの機械可読識別子を読み取るステップと、
前記複数の薬剤容器のうちの１つをその対応する保管場所から、残りの複数の薬剤容器のいずれもそれらの対応する保管場所から取り除く必要なしに取り出すステップと
を含む管理方法。
【請求項４２】
前記複数の薬剤容器のそれぞれのために前記少なくとも１つの機械可読識別子に関連付けられた情報を保管するステップであって、前記情報が、薬剤の名前、投与量、製造業者、ロット日付番号及び有効期限のうちの少なくとも１つであるステップと、
薬の識別、及び前記薬の分配する１回分の用量を含む入力を受け取るステップと、
取り出すべき前記複数の薬剤容器の１つを選択するステップであって、該選択された薬剤容器は、前記識別された薬及び前記１回分の用量に対応しているステップと
をさらに含み、
前記複数の薬剤容器のうちの前記選択された１つを取り出す前記ステップは、前記複数の容器のうちの前記選択された１つを収容している保管場所を識別することを含む
請求項４１に記載の方法。
【請求項４３】
前記複数の薬剤容器のうちの前記選択された１つは、前記識別された薬及び前記１回分の薬の用量に対応する前記複数の薬剤容器のそれぞれのうち最も早い有効期限を有しているために、前記複数の薬剤容器のうちの前記選択された１つが選択されたことを特徴とする請求項４２に記載の方法。
【請求項４４】
前記複数の薬剤容器の在庫調べを行うことをさらに含む請求項４１に記載の方法。
【請求項４５】
追加の薬剤容器を受け取るステップと、
該追加の薬剤容器を識別するステップと、
追加情報の入力又はオペレータによる操作なしに前記追加の薬剤容器を保管するステップと
をさらに含む請求項４１に記載の方法。
【請求項４６】
看護施設内で薬剤を管理するためのシステムであって、
それぞれが単回用量の薬剤を収容している個々の単回用量容器を識別する識別装置と、
前記個々の単回用量容器の位置に関する情報を保持するように構成された処理装置と、
内部に収容された薬剤の経過時間に基づいて前記単回用量容器を分配するように前記処理装置と連絡する分配装置と
を有する管理システム。
【請求項４７】
看護施設内で薬剤を管理する方法であって、
単回用量容器と共に、前記容器内の薬剤に関する情報を提供する識別子を設けること、
前記識別子によって提供される情報に基づいて、前記単回用量容器を機械によって保管施設まで運搬すること、及び
前記識別子によって提供される情報に基づいて、前記単回用量容器を機械によって再配置すること
を含む方法において、
前記情報が、前記容器内に収容された前記薬剤の有効期限のオーダーを含む管理方法。